(57)【要約】【課題】表示領域を節約できるようにするとともに、色の変化を容易に確認しながら色補正を行うことが可能な色調整装置を提供できるようにする。【解決手段】ユーザー操作により指定された調整色データから色テーブルを生成して色調整を行う色調整装置であって、前記調整色データから色テーブルを生成するとともに、前記色テーブルを前記調整色データに適用して目標色データを算出し、前記調整色データ、及び前記目標色データの３次元空間上の色域を１つの２次元平面に重ねて投影、表示することにより、編集前後の色域を別々に表示するために発生する不都合を防止できるようにする。【選択図】  図１
2010193385.tif 000002
【特許請求の範囲】
【請求項１】
ユーザー操作により指定された調整色データから色テーブルを生成して色調整を行う色調整装置であって、
前記調整色データから色テーブルを生成するとともに、前記色テーブルを前記調整色データに適用して目標色データを算出し、前記調整色データ、及び前記目標色データの３次元空間上の色域を１つの２次元平面に重ねて投影、表示することを特徴とする色調整装置。
【請求項２】
ユーザー操作により指定された調整色データから色テーブルを生成して色調整を行う色調整装置であって、
前記調整色データを指定するための調整色データ指定手段と、
前記調整色データ指定手段により指定された調整色データから色テーブルを生成する色テーブル生成手段と、
前記色テーブル生成手段により生成された色テーブルを前記調整色データに適用して目標色データを算出する目標色データ算出手段と、
前記調整色データが前記調整色データ指定手段により編集されている最中かどうかを判定する調整状態判定手段と、
前記調整色データの３次元空間上の色域と、前記目標色データの３次元空間上の色域とを１つの２次元平面に重ねて投影して表示装置に表示する色域表示手段とを有することを特徴とする色調整装置。
【請求項３】
前記調整色データは、HSL、RGBを含む色空間に依存した色座標系で表現されることを特徴とする請求項１または２に記載の色調整装置。
【請求項４】
前記調整色データは、調整基準色、調整範囲、調整量から構成されることを特徴とする請求項１または２に記載の色調整装置。
【請求項５】
前記調整基準色は調整量の効果がピークとなる色であり、前記調整範囲は前記調整基準色に対する調整が影響する範囲を示し、前記調整量は前記調整基準色をピークとして色の変化量を指定する値であり、前記調整基準色から離れた色ほど調整量の効果が少なくなることを特徴とする請求項４に記載の色調整装置。
【請求項６】
前記調整状態判定手段は、ユーザーが明示的に前記調整色データの調整量を指定している場合として、前記調整色データの調整量を操作するインタフェースがスライダーコントロールにより構成されている場合はスライダードラッグ中、或いはプッシュボタンコントロールにより構成されている場合はボタン押下中において、調整色データがユーザー操作により編集されている最中であると判定し、これ以外は、調整色データがユーザー操作により編集されていないと判定することを特徴とする請求項２に記載の色調整装置。
【請求項７】
前記色域表示手段は、前記調整色データ、及び前記目標色データの調整基準色の色相、彩度、明度を１つの２次元平面に投影して表示装置に表示することを特徴とする請求項２に記載の色調整装置。
【請求項８】
前記色域表示手段は、前記調整状態判定手段により、前記調整色データの調整量がユーザー操作により変更されていると判定された場合には、前記調整色データ、及び前記目標色データの色域を重ねて１つの２次元平面に投影して表示し、
前記調整状態判定手段により、前記調整色データの調整量がユーザー操作により変更されていないと判定された場合には、前記調整色データの色域のみを１つの２次元平面に投影して表示することを特徴とする請求項２に記載の色調整装置。
【請求項９】
前記色域表示手段は、前記調整色データ、及び前記目標色データの色域を２次元平面に重ねて投影する場合、色域の広い方を下側に、色域の狭い方を上側に重ねて表示することを特徴とする請求項２に記載の色調整装置。
【請求項１０】
前記色域表示手段は、前記調整色データ、及び前記目標色データの色域が２次元平面に重ねて投影、表示されている場合には、視点を示す投影の方向も併せて表示することを特徴とする請求項２に記載の色調整装置。
【請求項１１】
ユーザー操作により指定された調整色データから色テーブルを生成して色調整を行う色調整装置であって、
前記調整色データを指定するための調整色データ指定手段と、
前記調整色データ指定手段により指定された調整色データから色テーブルを生成する色テーブル生成手段と、
前記色テーブル生成手段により生成された色テーブルを前記調整色データに適用して目標色データを算出する目標色データ算出手段と、
前記調整色データが前記調整色データ指定手段により編集されている最中かどうかを判定する調整状態判定手段と、
前記調整色データの３次元空間上の色域と、前記目標色データの３次元空間上の色域を３次元空間で表示する色域表示手段とを有することを特徴とする色調整装置。
【請求項１２】
前記色域表示手段は、前記調整状態判定手段により、前記調整色データの調整量がユーザー操作により変更されていると判定された場合、前記調整色データ、及び前記目標色データの色域を前記３次元空間で表示し、
前記調整状態判定手段により、前記調整色データの調整量がユーザー操作により変更されていないと判定された場合、前記調整色データの色域のみを１つの２次元平面に投影して表示をすることを特徴とする請求項１１に記載の色調整装置。
【請求項１３】
ユーザー操作により指定された調整色データから色テーブルを生成して色調整を行う色調整方法であって、
前記調整色データから色テーブルを生成するとともに、前記色テーブルを前記調整色データに適用して目標色データを算出し、前記調整色データ、及び前記目標色データの３次元空間上の色域を１つの２次元平面に重ねて投影、表示することを特徴とする色調整方法。
【請求項１４】
ユーザー操作により指定された調整色データから色テーブルを生成して色調整を行う色調整方法であって、
前記調整色データを指定するための調整色データ指定工程と、
前記調整色データ指定工程において指定された調整色データから色テーブルを生成する色テーブル生成工程と、
前記色テーブル生成工程において生成された色テーブルを前記調整色データに適用して目標色データを算出する目標色データ算出工程と、
前記調整色データが前記調整色データ指定工程において編集されている最中かどうかを判定する調整状態判定工程と、
前記調整色データの３次元空間上の色域と、前記目標色データの３次元空間上の色域とを１つの２次元平面に重ねて投影して表示装置に表示する色域表示工程とを有することを特徴とする色調整方法。
【請求項１５】
ユーザー操作により指定された調整色データから色テーブルを生成して色調整を行う色調整方法であって、
前記調整色データを指定するための調整色データ指定工程と、
前記調整色データ指定工程において指定された調整色データから色テーブルを生成する色テーブル生成工程と、
前記色テーブル生成工程において生成された色テーブルを前記調整色データに適用して目標色データを算出する目標色データ算出工程と、
前記調整色データが前記調整色データ指定工程において編集されている最中かどうかを判定する調整状態判定工程と、
前記調整色データの３次元空間上の色域と、前記目標色データの３次元空間上の色域を３次元空間で表示する色域表示工程とを有することを特徴とする色調整方法。
【請求項１６】
ユーザー操作により指定された調整色データから色テーブルを生成して色調整を行う色調整方法をコンピュータに実行させるプログラムであって、
前記調整色データから色テーブルを生成するとともに、前記色テーブルを前記調整色データに適用して目標色データを算出し、前記調整色データ、及び前記目標色データの３次元空間上の色域を１つの２次元平面に重ねて投影、表示することをコンピュータに実行させる特徴とするコンピュータプログラム。
【請求項１７】
ユーザー操作により指定された調整色データから色テーブルを生成して色調整を行う色調整方法をコンピュータに実行させるプログラムであって、
前記調整色データを指定するための調整色データ指定工程と、
前記調整色データ指定工程において指定された調整色データから色テーブルを生成する色テーブル生成工程と、
前記色テーブル生成工程において生成された色テーブルを前記調整色データに適用して目標色データを算出する目標色データ算出工程と、
前記調整色データが前記調整色データ指定工程において編集されている最中かどうかを判定する調整状態判定工程と、
前記調整色データの３次元空間上の色域と、前記目標色データの３次元空間上の色域とを１つの２次元平面に重ねて投影して表示装置に表示する色域表示工程とをコンピュータに実行させることを特徴とするコンピュータプログラム。
【請求項１８】
ユーザー操作により指定された調整色データから色テーブルを生成して色調整を行う色調整方法をコンピュータに実行させるプログラムであって、
前記調整色データを指定するための調整色データ指定工程と、
前記調整色データ指定工程において指定された調整色データから色テーブルを生成する色テーブル生成工程と、
前記色テーブル生成工程において生成された色テーブルを前記調整色データに適用して目標色データを算出する目標色データ算出工程と、
前記調整色データが前記調整色データ指定工程において編集されている最中かどうかを判定する調整状態判定工程と、
前記調整色データの３次元空間上の色域と、前記目標色データの３次元空間上の色域を３次元空間で表示する色域表示工程とをコンピュータに実行させることを特徴とするコンピュータプログラム。
【請求項１９】
請求項１６〜１８の何れか１項に記載のコンピュータプログラムを記憶したことを特徴とするコンピュータ読み取り可能な記憶媒体。
【発明の詳細な説明】
【技術分野】
【０００１】
本発明は色調整装置及び色調整方法に関し、特に、色調整の前後における色域の変化をユーザーインタフェース上に分かり易く表示するために用いて好適な技術に関する。
【背景技術】
【０００２】
近年、入出力デバイスにおいては、それぞれの色再現範囲を明度、色相、及び彩度毎に記憶し、色再現性を良くするため、あるいはカラー画像に一定の特徴を出すために、ユーザーが任意の色テーブルを生成するようなことが容易にできるようになってきた。
【０００３】
特に、カラー画像に一定の特徴を出す装置については、３次元色空間（Color Space）上で行われる色補正の結果を２次元平面に投影・表示し、表示状態を確認しながら編集できるような画像処理装置が提案されている（例えば、特許文献１を参照）。特許文献１に記載の画像処理装置では、３次元色空間における処理対象画像の画素をｕｖ平面に投影した色分布画像を表示するようにしている。
【０００４】
従来技術の一例を、図7を参照しながら説明する。
図７（ａ）に示すように、従来は、デジタル画像の色調整をH,S,Lなどの色空間上で行ない、その結果をユーザーI/F上に表示するようにしていた。この場合、ユーザー操作をし易くするため、色相(H)、彩度(S)を２次元平面Ｓ７０１上で表現し、明度(L)を１次元の座標Ｓ７０２で表現するようにしていた。
【先行技術文献】
【特許文献】
【０００５】
【特許文献１】特開平１１−２７６８８号公報
【発明の概要】
【発明が解決しようとする課題】
【０００６】
しかしながら、色の変化の軌跡を同平面上に表現する際、実際は３次元の空間内での色変化を２次元で表現するため、正確な色変化を表現することは難しかった。例えば、ある色の明度を調整した結果、彩度を色空間内に収めるため、彩度の値を下げるような動作をする場合がある。この動作をユーザーに認識してもらえるようなI/Fの実現ができていなかった。
【０００７】
すなわち、図７（ｂ）に示すように、実際の３次元空間内の動きは、ある色の点Ｓ７０３の明度を上げると、点Ｓ７０４ではなく、点Ｓ７０５となる。これは、色の点の移動範囲を色空間内に収めるためにこのようにしている。
【０００８】
また、表示に係わる表示方法では、編集前後の色域について、例えば色相の変化はカラーサークル上の内側を編集前、外側を編集後としている。また、彩度の変化は１次元の彩度の変化の軸を２つ並べて表示するなどの表示方法を採用し、かつこれらの表示を常時行うようなものが多かった。
【０００９】
しかしながら、このような表示方法を採用した場合、編集前後の色域を同時に表示するための領域を表示装置側に設ける必要がある。また、別々の領域を使って色相、彩度、明度の変化を表示するようにしているために広い表示領域が必要である。さらに、色を構成する要素の変化を一度に確認することができないので、可視性が良くないという問題があった。
【００１０】
本発明は前述の問題点に鑑み、表示領域を節約できるようにするとともに、色の変化を容易に確認しながら色補正を行うことが可能な色調整装置を提供できるようにすることを目的としている。
【課題を解決するための手段】
【００１１】
本発明の色調整装置は、ユーザー操作により指定された調整色データから色テーブルを生成して色調整を行う色調整装置であって、前記調整色データから色テーブルを生成するとともに、前記色テーブルを前記調整色データに適用して目標色データを算出し、前記調整色データ、及び前記目標色データの３次元空間上の色域を１つの２次元平面に重ねて投影、表示することを特徴とする。
また、本発明の色調整装置の他の特徴とするところは、ユーザー操作により指定された調整色データから色テーブルを生成して色調整を行う色調整装置であって、前記調整色データを指定するための調整色データ指定手段と、前記調整色データ指定手段により指定された調整色データから色テーブルを生成する色テーブル生成手段と、前記色テーブル生成手段により生成された色テーブルを前記調整色データに適用して目標色データを算出する目標色データ算出手段と、前記調整色データが前記調整色データ指定手段により編集されている最中かどうかを判定する調整状態判定手段と、前記調整色データの３次元空間上の色域と、前記目標色データの３次元空間上の色域とを１つの２次元平面に重ねて投影して表示装置に表示する色域表示手段とを有することを特徴とする。
また、本発明の色調整装置のその他の特徴とするところは、ユーザー操作により指定された調整色データから色テーブルを生成して色調整を行う色調整装置であって、前記調整色データを指定するための調整色データ指定手段と、前記調整色データ指定手段により指定された調整色データから色テーブルを生成する色テーブル生成手段と、前記色テーブル生成手段により生成された色テーブルを前記調整色データに適用して目標色データを算出する目標色データ算出手段と、前記調整色データが前記調整色データ指定手段により編集されている最中かどうかを判定する調整状態判定手段と、前記調整色データの３次元空間上の色域と、前記目標色データの３次元空間上の色域を３次元空間で表示する色域表示手段とを有することを特徴とする。
【００１２】
本発明の色調整方法は、ユーザー操作により指定された調整色データから色テーブルを生成して色調整を行う色調整方法であって、前記調整色データから色テーブルを生成するとともに、前記色テーブルを前記調整色データに適用して目標色データを算出し、前記調整色データ、及び前記目標色データの３次元空間上の色域を１つの２次元平面に重ねて投影、表示することを特徴とする。
また、本発明の色調整方法の他の特徴とするところは、ユーザー操作により指定された調整色データから色テーブルを生成して色調整を行う色調整方法であって、前記調整色データを指定するための調整色データ指定工程と、前記調整色データ指定工程において指定された調整色データから色テーブルを生成する色テーブル生成工程と、前記色テーブル生成工程において生成された色テーブルを前記調整色データに適用して目標色データを算出する目標色データ算出工程と、前記調整色データが前記調整色データ指定工程において編集されている最中かどうかを判定する調整状態判定工程と、前記調整色データの３次元空間上の色域と、前記目標色データの３次元空間上の色域とを１つの２次元平面に重ねて投影して表示装置に表示する色域表示工程とを有することを特徴とする。
また、本発明の色調整方法のその他の特徴とするところは、ユーザー操作により指定された調整色データから色テーブルを生成して色調整を行う色調整方法であって、前記調整色データを指定するための調整色データ指定工程と、前記調整色データ指定工程において指定された調整色データから色テーブルを生成する色テーブル生成工程と、前記色テーブル生成工程において生成された色テーブルを前記調整色データに適用して目標色データを算出する目標色データ算出工程と、前記調整色データが前記調整色データ指定工程において編集されている最中かどうかを判定する調整状態判定工程と、前記調整色データの３次元空間上の色域と、前記目標色データの３次元空間上の色域を３次元空間で表示する色域表示工程とを有することを特徴とする。
【００１３】
本発明のコンピュータプログラムは、ユーザー操作により指定された調整色データから色テーブルを生成して色調整を行う色調整方法であって、前記調整色データから色テーブルを生成するとともに、前記色テーブルを前記調整色データに適用して目標色データを算出し、前記調整色データ、及び前記目標色データの３次元空間上の色域を１つの２次元平面に重ねて投影、表示することをコンピュータに実行させる特徴とする。
また、本発明のコンピュータプログラムの他の特徴とするところは、ユーザー操作により指定された調整色データから色テーブルを生成して色調整を行う色調整方法であって、前記調整色データを指定するための調整色データ指定工程と、前記調整色データ指定工程において指定された調整色データから色テーブルを生成する色テーブル生成工程と、前記色テーブル生成工程において生成された色テーブルを前記調整色データに適用して目標色データを算出する目標色データ算出工程と、前記調整色データが前記調整色データ指定工程において編集されている最中かどうかを判定する調整状態判定工程と、前記調整色データの３次元空間上の色域と、前記目標色データの３次元空間上の色域とを１つの２次元平面に重ねて投影して表示装置に表示する色域表示工程とをコンピュータに実行させることを特徴とする。
また、本発明のコンピュータプログラムのその他の特徴とするところは、ユーザー操作により指定された調整色データから色テーブルを生成して色調整を行う色調整方法であって、前記調整色データを指定するための調整色データ指定工程と、前記調整色データ指定工程において指定された調整色データから色テーブルを生成する色テーブル生成工程と、前記色テーブル生成工程において生成された色テーブルを前記調整色データに適用して目標色データを算出する目標色データ算出工程と、前記調整色データが前記調整色データ指定工程において編集されている最中かどうかを判定する調整状態判定工程と、前記調整色データの３次元空間上の色域と、前記目標色データの３次元空間上の色域を３次元空間で表示する色域表示工程とをコンピュータに実行させることを特徴とする。
【発明の効果】
【００１４】
本発明によれば、色空間に依存した色座標系上において、色補正をする前後の色域の変化を、色相、彩度、明度の色補正パラメーターを補正するための表示領域と同じ領域上に重ねて表示するようにした。これにより、表示領域を節約することができるとともに、色の変化を容易に確認しながら色補正を容易に行うことが可能な色調整装置を提供することができ、色域の変化を一目で分かるようにすることができる。
【図面の簡単な説明】
【００１５】
【図１】本発明の第１の実施形態を示し、色調整装置の主要な構成例を示すブロック図である。
【図２】本発明の第１の実施形態を示し、本実施形態における調整色データを指定する手順を説明するフローチャートである。
【図３】本発明の第１の実施形態を示し、本実施形態における調整状態判定部における判定手順を説明するフローチャートである。
【図４】本発明の第１の実施形態を示し、調整色データのみを表示装置に表示した場合の表示例を示す図である。
【図５】本発明の第１の実施形態を示し、本実施形態における色域表示部における調整色データと目標色データの色域を重ねて表示装置に表示した場合のユーザーI/Fの構成例を示す図である。
【図６】本発明の第２の実施形態を示し、ユーザーI/Fの３次元表示の一例を示す図である。
【図７】従来技術を示し、３次元色空間における処理対象画像の画素を２次元平面に投影した色分布画像を表示する例を示す図である。
【発明を実施するための形態】
【００１６】
（第１の実施形態）
図１は、本実施形態における色調整装置１００の主要な構成を示すブロック図である。
図１において、調整色データ指定部１０２は、ユーザーが調整色データを指定するためのI/Fである。このI/Fにより調整基準色、調整範囲、調整量から構成される調整色データをHSL値で複数指定することが可能である。
【００１７】
また、調整基準色は、調整量の効果がピークとなる色であり、前記調整範囲は前記調整基準色に対する調整が影響する範囲を示す。さらに、調整量は調整基準色をピークとして色の変化量を指定する値であり、調整基準色から離れた色ほど調整量の効果が少なくなる。
【００１８】
調整状態判定部１０７は、調整色データ指定部１０２における調整量のI/Fがユーザー操作により変更されている最中かどうかの判定を行い、その判定結果を色域表示部１０６に伝達する。
【００１９】
本実施形態においては、ユーザーが明示的に前記調整色データの調整量を指定している場合として、以下の例を示す。第１の場合として、調整色データの調整量を操作するインタフェースがスライダーコントロールにより構成されている場合はスライダードラッグ中とする。また、調整色データの調整量を操作するインタフェースがプッシュボタンコントロールにより構成されている場合はボタン押下中において、調整色データがユーザー操作により編集されている最中であると判定する。これ以外は、調整色データがユーザー操作により編集されていないと判定する。
【００２０】
指定された調整色データがシステム制御部１０１に伝わり、メモリ部１０３に保持される。その後、色テーブル生成部１０４に伝わり、色テーブル生成部１０４において色テーブルが形成される。目標色データ算出部１０５は、色テーブル生成部１０４で形成された色テーブルを用いて調整色データを変換し、目標色データを取得する。そして、色域表示部１０６において、調整状態判定部１０７からの伝達結果に応じ、調整色データ、目標色データの色域が表示装置１２０に表示される。
【００２１】
図２は、本実施形態の色調整装置１００において行われる、調整色データを指定する手順を示したフローチャートである。
まず、ステップＳ２００において、調整色データ指定部１０２が操作されて調整基準色がＨＳＬ値で指定され、調整したい色を決められると、ステップＳ２０１に進む。ステップＳ２０１においては、調整が影響される調整色範囲を色相Ｈの上下限、彩度Ｓの上下限、明度Ｌの上下限といった範囲で指定する処理が行われる。次に、ステップＳ２０２において、これらに対する調整量が色相Ｈ、彩度Ｓ、明度Ｌ毎に指定する。
【００２２】
次に、ステップＳ２０３に進み、ステップＳ２０１において指定された値を用いて色テーブル生成部１０４により色テーブルを生成する。次に、ステップＳ２０４に進み、色テーブル生成部１０４により生成された色テーブルを調整基準色に適用し、目標色データ算出部１０５が目標色データを算出する。その後、ステップＳ２０５において、色域表示部１０６は調整色データ及び目標色データの色域を表示装置１２０に表示する。
【００２３】
次に、ステップＳ２０６において、調整したい色のすべてについて以上の手順を実行したか否かを判定し、実行していない場合にはステップＳ２００に戻る。またステップＳ２０６の判定の結果、実行した場合には調整を終了し、編集作業を終了する。
【００２４】
図３は、本実施形態の色調整装置１００における、調整状態判定部１０７において行われる判定手順、及び色域表示部１０６における色域表示に関する手順を説明するフローチャートである。
まず、ステップＳ３００において、調整色データについて、調整色データ指定部１０２の調整量に関するI/Fがユーザーにより操作されているかどうかを判定する。この判定の結果、調整量を操作されていない状態の場合は、ステップＳ３０１に進み、調整色データのみを色域表示部１０６は表示装置１２０に表示する。また、ステップＳ３００の判定の結果、調整量を操作されている状態の場合は、ステップＳ３０２に進み、色域表示部１０６が調整色データ及び目標色データの両方の色域を表示装置１２０に同時に表示する。
【００２５】
図４は、本実施形態の色調整装置１００において、調整色データのみを表示装置１２０に表示した場合の表示例を示す図である。
図４（ａ）においては、現在編集している色が分かるように、ＨＳ座標系（Ｓ４００）及びＬ座標系（Ｓ４０１）を表示装置１２０に表示して、色の変化を表現している。
【００２６】
また、これら座標系毎に、調整基準色のＨＳ値（Ｓ４０２）と調整基準色のＬ値（Ｓ４０３）を表示し、さらに調整範囲のＨＳ値（Ｓ４０４）と調整範囲のＬ値（Ｓ４０５及びＳ４０６）を表示している。
【００２７】
さらに、図４（ｂ）に示すように、調整基準色の色相Ｈ、彩度Ｓ、明度Ｌ毎に調整量を指定することができるように表示している（Ｓ４０７及びＳ４０８及びＳ４０９）。これらの指定は、図示しないマウス操作やキーボード操作を行って調整色データ指定部１０２により行うことができる。本実施形態においては、調整色データを構成する調整基準色、調整範囲、及び調整量を指定することが可能である。
【００２８】
図５は、本実施形態の色調整装置１００に設けられている色域表示部１０６の処理により、調整色データと目標色データの色域とを表示装置１２０に重ねて表示した場合の表示例を示す図である。
まず、色調整の結果を示す３次元空間上の概念図（Ｓ５００）、及びこれを２次元平面に投影したユーザーI/F（Ｓ５０５）を示す。
【００２９】
次に、３次元空間上の概念図において、調整色データの調整基準色（Ｓ５０３）は、ＨＳの色域（Ｓ５０１）上にある。これに対し、目標色データ（Ｓ５０４）は、ＨＳの色域（Ｓ５０２）上にある。つまり、このケースでは、調整基準色（Ｓ５０３）に対して明度Ｌ値を下げるような調整量を適用することで色域が狭くなるため、彩度Ｓ値も必然的に下がってしまっている。
【００３０】
この場合、２次元平面に投影したユーザーI/Fは、調整基準色のＨＳ値（Ｓ５０８）は、ＨＳの色域（Ｓ５０６）上に投影され、目標色データのＨＳ値（Ｓ５０９）は、ＨＳの色域（Ｓ５０７）上に投影される。調整基準色のＬ値（Ｓ５１０）は、目標色データのＬ値（Ｓ５１１）とともに１次元の座標５１４上に投影される。さらに、これらの投影における視点（投影方向）を示す表示もされる（Ｓ５１２）。
【００３１】
そして、本実施形態においては、目標色データのＨＳ値、Ｌ値、色域の表示、及び視点（投影方向）を示す表示は、調整色データの調整量のスライダー（Ｓ５１３）をドラッグしている最中のみ行うようにしている。これにより、編集前の色域確認のみを行いたい場合には、これらの色域が同時に表示されることがない。したがって、編集前の色域確認のみを行う場合に、可視性が悪くなることを防止することができる。
【００３２】
前述したように、本実施形態においては、色空間に依存したHSL/RGBなどの色座標系上において、色補正する前の色域及び色補正した後の色域、すなわち、２つの色域を１つの２次元平面に重ねて投影、表示するようにした。また、重ねて投影する場合、色域の広い方を下側に、色域の狭い方を上側に重ねて表示することにより、色域の変化を一目で分かるようにすることができる。
【００３３】
（第２の実施形態）
本実施形態における、色域表示部１０６の処理の変形例について、３次元表示のユーザーI/Fの表示例を説明する。
図６は、色調整装置１００上の表示装置１２０の表示例について、色調整の結果を示す３次元空間上のユーザーI/F（Ｓ６００）を示している。調整色データの調整基準色（Ｓ６０３）は、ＨＳの色域（Ｓ６０１）上にある。これに対し、目標色データ（Ｓ６０４）は、ＨＳの色域（Ｓ６０２）上にある。なお、この３次元空間上のユーザーI/Fの表示は、調整色データの調整量のスライダーをドラッグしている最中のみ行うように構成されている。
【００３４】
したがって、本実施形態においても、色調整装置１００は、HSL、RGBなどの３次元の色空間における色域を２次元平面に投影した表示領域上で、ユーザー操作により、調整対象となる任意の色を選択することができる。
【００３５】
また、ユーザー操作により、選択された色に対して、色相、彩度、明度などの色補正パラメーターを任意に編集することができる。さらに、選択された色に対して、色相、彩度、明度などの色補正パラメーターをユーザー操作により編集されている最中にのみ、編集された後の色の色域を前述の２次元平面に重ねて投影するようにした。これにより、色域の変化を一目で分かるようにすることができる。
【００３６】
（本発明に係る他の実施形態）
前述した本発明の実施形態における色調整装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３７】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００３８】
なお、本発明は、前述した色調整方法における各工程を実行するソフトウェアのプログラム（実施形態では図２、図３に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００３９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４０】
その場合、プログラムの機能を有していれば、オブジェクトコード、インタプリタにより実行されるプログラム、ＯＳに供給するスクリプトデータ等の形態であってもよい。
【００４１】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４２】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００４３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４５】
また、コンピュータが、読み出したプログラムを実行することによって、前述した実施形態の機能が実現される他、コンピュータ上で稼動しているＯＳなどが、実際の処理の一部または全部を行うことによっても前述した実施形態の機能が実現され得る。
【００４６】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【符号の説明】
【００４７】
１００  色調整装置
１０１  システム制御部
１０２  調整色データ指定部
１０３  メモリ部
１０４  色テーブル生成部
１０５  目標色データ算出部
１０６  色域表示部
１０７  調整状態判定部
１２０  表示装置
【図１】
2010193385.tif 000003
【図２】
2010193385.tif 000004
【図３】
2010193385.tif 000005
【図４】
2010193385.tif 000006
【図５】
2010193385.tif 000007
【図６】
2010193385.tif 000008
【図７】
2010193385.tif 000009